(57)【要約】【課題】装着したリールの緩み難いリール装着部を有する釣竿を提供する。【解決手段】移動フード１６を有する１対のフードを設けたリール装着部を有する釣竿であって、前記移動フードのリール脚挿入穴１６Ａとは径方向反対側であって、移動フード内周とリール装着部の本体部１２との間に、移動フード並びに前記本体部と比較して柔軟であって、リール脚を前記リール脚挿入穴に押し込んだ際の力を作用させれば移動フード内周と本体部外周との間で圧縮される柔軟さを有する柔軟性部材２２を配設する。【選択図】図３
2008211980.tif 000002
【特許請求の範囲】
【請求項１】
移動フードを有する１対のフードを設けたリール装着部を有する釣竿であって、
前記移動フードのリール脚挿入穴とは径方向反対側であって、移動フード内周とリール装着部の本体部との間に、移動フード並びに前記本体部と比較して柔軟であって、リール脚を前記リール脚挿入穴に押し込んだ際の力を作用させれば移動フード内周と本体部外周との間で圧縮される柔軟さを有する柔軟性部材を配設していることを特徴とするリール装着部を有する釣竿。
【請求項２】
前記リール装着部の本体部には、リール脚載置面側とは径方向反対側に長手方向に沿った案内溝を設けており、前記移動フードのリール脚挿入穴とは径方向反対側の対応位置には、前記案内溝に係合する凸部を設けており、前記柔軟性部材は前記案内溝を跨ぐ位置に設けられている請求項１記載のリール装着部を有する釣竿。
【発明の詳細な説明】
【技術分野】
【０００１】
本発明は、リールを装着固定させるリール装着部を有する釣竿に関する。
【背景技術】
【０００２】
前後に１対のフードを設けたリール装着部を有する釣竿では、夫々のフードのリール脚挿入穴にリール脚を挿入し、ナット部材を回転させることで移動フードをリール脚に押し付けてリールを固定するものが一般的である。その一例が下記２つの特許文献に開示されている。
【特許文献１】特開平７−３２７５５５号公報
【特許文献２】実開平６−４１４７３号公報
【発明の開示】
【発明が解決しようとする課題】
【０００３】
然しながら、一旦、リールを固定しても、釣り操作によってリールに種々の方向の力が作用すれば、やがて移動フードとナット部材が僅かずつ緩んでリールがガタつき始める。
依って解決しようとする課題は、装着したリールの緩み難いリール装着部を有する釣竿の提供である。
【課題を解決するための手段】
【０００４】
第１の発明は、移動フードを有する１対のフードを設けたリール装着部を有する釣竿であって、前記移動フードのリール脚挿入穴とは径方向反対側であって、移動フード内周とリール装着部の本体部との間に、移動フード並びに前記本体部と比較して柔軟であって、リール脚を前記リール脚挿入穴に押し込んだ際の力を作用させれば移動フード内周と本体部外周との間で圧縮される柔軟さを有する柔軟性部材を配設していることを特徴とするリール装着部を有する釣竿を提供する。
【０００５】
第２の発明は、第１の発明の前記リール装着部の本体部には、リール脚載置面側とは径方向反対側に長手方向に沿った案内溝を設けており、前記移動フードのリール脚挿入穴とは径方向反対側の対応位置には、前記案内溝に係合する凸部を設けており、前記柔軟性部材は前記案内溝を跨ぐ位置に設けられているように構成する。
【発明の効果】
【０００６】
移動フードはリール装着部の本体部に対して径方向に隙間を有しており、このため前後移動できる。従って、リール脚を移動フードのリール脚挿入穴により深く挿入すればするほど、該移動フードを前記隙間の範囲内でリール脚載置面側（リール脚挿入穴側）に引き寄せるように作用する。従って、第１の発明において、移動フードや本体部よりも柔軟な柔軟性部材をリール脚挿入穴とは径方向反対側に配設していると、該柔軟性部材がその厚さ方向に押し潰されつつ移動フード内面と本体部の外周面との間で押圧され、移動フードの摩擦力を大きくして該移動フードの固定の信頼性を向上させ、引いてはリールが緩み難くなる。
【０００７】
第２の発明では、本体部に設けられている移動フード案内用の溝を跨いで柔軟性部材が設けられているため、リール脚挿入によって押圧された柔軟性部材はこの案内溝に係合し、この案内溝と移動フードの凸部との間の僅かな隙間に起因する移動フードの僅かな回転をも防止でき、移動フードの固定の信頼性を更に向上させ、引いてはリールが更に緩み難くなる。
【発明を実施するための最良の形態】
【０００８】
以下、本発明につき図面を用いて詳細に説明する。図１は本発明に係るリール装着部を有する釣竿の要部側面図であり、図２は図１の移動フードとナット部材の付近の拡大縦断面図、図３は図２の矢視線Ｃ−Ｃによる横断面図である。繊維強化樹脂材による竿杆１０を内部に挿通させた合成樹脂製のリール装着部本体部１２には、リール脚２０を載置させるリール脚載置部１２Ｓを形成しており、その前後方向の一側にリール脚挿入穴１４Ａを有する固定フード１４を形成配設している。前後方向他側にはリール脚挿入穴１６Ａを有する移動フード１６を配設している。部品１６Ｂはリール脚を傷付けないための合成樹脂材による内挿部品である。
【０００９】
移動フードの前記他側方向隣接部にはナット部材１８が配設されている。一方、本体部１２のナット部材側外周には雄ねじ部１２Ｎが形成されており、ナット部材の内周の雌ねじ部１８Ｎと螺合している。ナット部材の移動フード側端部には環状の係合溝１８Ｋが形成されており、移動フードには（環状の）係合凸部１６Ｋが形成されていて、互いに相対回転可能に連結されている。本体部の、前記リール脚載置部１２Ｓの径方向反対側には移動フード１６の前後移動の範囲内に案内溝１２Ｍが形成されており、移動フード１６の凸部１６Ｔが係合している。これらの係合構造によって、ナット部材が回転すれば、移動フードが前後に移動する。
【００１０】
この例では、上記凸部１６Ｔの前記他側であって、移動フードの内部に凹部１６Ｍを形成しており、この中に、例えば、合成ゴム、発泡ゴムのような部材であって、移動フード１６や本体部１２よりも柔軟な部材による柔軟性部材２２の厚さ方向の一部を入れて接着固定している。図３に示すように、この柔軟性部材は案内溝１２Ｍを中心とし、角度範囲が２０度以下又は３０度以下という狭い幅であり、その厚さは、リール脚２０をリール脚挿入穴１６Ａに挿入した際、柔軟性部材２２の内面が本体部１２の外周面に押圧当接する厚さである。リール脚挿入による移動フードの引き寄せ力によって本体部の表面を押圧できればよいのであり、この程度の幅で構成できる。また、移動フードの前後移動を円滑にさせるために、柔軟性部材２２の大きさは小さ目が良く、少なくとも、リール脚載置部１２Ｓの径方向反対側以外には設けない方がよい。
【００１１】
更には、この例では、柔軟性部材はその幅方向の中央部が前記案内溝１２Ｍに係合できる。即ち、移動フード１６がその凸部１６Ｔと案内溝１２Ｍとの円周方向の隙間によって僅かに相対回転し得るが、リール固定時には、押圧された柔軟性部材２２がこの案内溝に引っ掛かる。従って、この僅かな回転を防止でき、引いては移動フードの緩みを防止できる。
【００１２】
本発明の別形態例としては、前記柔軟性部材２２が前記案内溝１２Ｍと円周方向にずれていて、柔軟性部材が案内溝に係合できない配置関係でもよい。
【産業上の利用可能性】
【００１３】
本発明はリール装着部を有する釣竿に利用できる。
【図面の簡単な説明】
【００１４】
【図１】図１は本発明に係る釣竿の要部側面図である。
【図２】図２は図１の移動フードとナット部材の付近の拡大縦断面図である。
【図３】図３は図２の矢視線Ｃ−Ｃによる横断面図である。
【符号の説明】
【００１５】
１２                          リール装着部の本体部
１２Ｍ                        案内溝
１２Ｓ                        リール脚載置面
１６                          移動フード
１６Ａ                        リール脚挿入穴
１８                          ナット部材
２２                          柔軟性部材
【図１】
2008211980.tif 000003
【図２】
2008211980.tif 000004
【図３】
2008211980.tif 000005